(57)【特許請求の範囲】
【請求項１】
シャンクビット（１０）であって、
ビットヘッド（１２）と、
ビットシャンク（１６）と、
を備え、前記ビットシャンク（１６）は、リテーナ要素−収容部（１８１）を有し、前記リテーナ要素−収容部（１８１）内には、リテーナ要素（４０）が配置されている、
シャンクビット（１０）において、
前記リテーナ要素（４０）の外形の少なくとも一部が変化するように、締め付け要素（２０）が前記ビットシャンク（１６）に対して相対的に位置調節可能とされており、
前記リテーナ要素（４０）は、環形のリテーナ要素−外面（４１）、環形のリテーナ要素−内面（４２）及び半径方向に方向付けられた２つのリテーナ要素−端面（４３）を有する、ことを特徴とするシャンクビット（１０）。
【請求項２】
前記ビットシャンク（１６）と前記締め付け要素（２０）とは、結合要素（１８４）及び収容部（２５）を介して互いに無段調節可能に結合されている、請求項１に記載のシャンクビット（１０）。
【請求項３】
前記ビットシャンク（１６）に対する前記締め付け要素（２０）の調節は、ストッパ（１８６）により制限されている、請求項２に記載のシャンクビット（１０）。
【請求項４】
前記ビットヘッド（１２）に、少なくとも２５ＧＰａの硬さ、特に好ましくは、４０ＧＰａより高い硬さ、を有する硬質材料からなるビットチップ（１１）が取り付けられている、請求項１から３までのいずれか１項に記載のシャンクビット（１０）。
【請求項５】
前記ビットヘッド（１２）は、工具を周方向で形状結合式に拘束する工具収容部（１３）を有する、請求項１から４までのいずれか１項に記載のシャンクビット（１０）。
【請求項６】
前記ビットシャンク（１６）の少なくとも一部は、第１の円筒状の区分（１６１）、移行部（１６２）及び第２の円筒状の区分（１６３）により段状に形成されている、請求項１から５までのいずれか１項に記載のシャンクビット（１０）。
【請求項７】
前記ビットシャンク（１６）、前記締め付け要素（２０）及び前記リテーナ要素（４０）は、固定ユニット（１８）を構成する、請求項１から６までのいずれか１項に記載のシャンクビット（１０）。
【請求項８】
前記リテーナ要素（４０）は、少なくとも部分的に弾性材料からなる、請求項１から７までのいずれか１項に記載のシャンクビット（１０）。
【請求項９】
前記締め付け要素（２０）は、ビットホルダ（３０）に対して回り止めされる拘束用の保持面（２１）を有する、請求項１から８までのいずれか１項に記載のシャンクビット（１０）。
【請求項１０】
ビットホルダ（３０）のビット収容部（３０１）内にシャンクビット（１０）を取り付けるシャンクビット（１０）用の取り付けアッセンブリ（１）であって、前記シャンクビット（１０）は、ビットヘッド（１２）及びビットシャンク（１６）を有し、前記ビットシャンク（１６）は、締め付け要素（２０）とともにリテーナ要素（４０）用のリテーナ要素−収容部（１８１）を形成する取り付けアッセンブリ（１）において、
前記締め付け要素（２０）は、前記ビットシャンク（１６）に対して位置調節可能であり、
前記リテーナ要素−収容部（１８１）の容積は、前記ビットシャンク（１６）に対する前記締め付け要素（２０）の調節により可変である、
ことを特徴とする、シャンクビット（１０）用の取り付けアッセンブリ（１）。
【請求項１１】
前記リテーナ要素（４０）は、前記リテーナ要素−収容部（１８１）の容積の変化により調節可能、特に変形可能であり、これにより、前記リテーナ要素−収容部（１８１）の、周囲を取り巻く壁（１８２，１８３，２６２，３７）に対して押圧力が生じることで、シャンクビット（１０）とビットホルダ（３０）との間の、軸方向での取り付けを達成する、請求項１０に記載の取り付けアッセンブリ（１）。
【請求項１２】
前記リテーナ要素−収容部（１８１）の最小の容積は、スペーサ（１８５）により制限されている、請求項１０又は１１に記載の取り付けアッセンブリ（１）。
【請求項１３】
前記締め付け要素（２０）は、前記ビットホルダ（３０）の締め付け要素収容部（３１）内に回り止めされて支持されている、かつ／又は前記締め付け要素（２０）は、軸方向で移動可能に前記締め付け要素収容部（３１）内で案内されている、請求項１０から１２までのいずれか１項に記載の取り付けアッセンブリ（１）。
【請求項１４】
前記ビットホルダ（３０）は、ビット収容部（３０１）を有し、前記ビット収容部（３０１）は、第１の円筒状の領域（３５）、移行領域（３６）及び第２の円筒状の領域（３７）により段状に形成されている、請求項１０から１３までのいずれか１項に記載の取り付けアッセンブリ（１）。
【請求項１５】
前記シャンクビット（１０）の移行部（１６２）と、前記ビット収容部（３０１）の前記移行領域（３６）とは、後退スペース（１７）を形成するように互いに軸方向で離間している、請求項１４に記載の取り付けアッセンブリ（１）。
【発明の詳細な説明】
【技術分野】
【０００１】
本発明は、シャンクビットであって、ビットヘッドと、ビットシャンクとを備え、ビットシャンクは、リテーナ要素−収容部を有し、リテーナ要素−収容部内には、リテーナ要素が配置されているシャンクビットに関する。
【０００２】
さらに本発明は、ビットホルダのビット収容部内にシャンクビットを取り付けるシャンクビット用の取り付けアッセンブリであって、シャンクビットは、ビットヘッド及びビットシャンクを有し、ビットシャンクは、締め付け要素とともにリテーナ要素用のリテーナ要素−収容部を形成する取り付けアッセンブリに関する。
【０００３】
独国特許発明第３７０１９０５号明細書（DE 3701905 C1）において、丸シャンクビットであって、ビットヘッドとビットシャンクとからなり、ビットシャンクは、周溝を有し、周溝内には、長手方向スリットが入れられた締め付けスリーブが支持されている丸シャンクビットが公知である。ビットシャンクをホルダの孔内に装入する前、締め付けスリーブは、保持部材により締め付け位置に保持されている。ビットシャンクを孔内に装入した後、ビットシャンクは、応力が働いた状態で孔内に嵌合した締め付けスリーブにより、軸方向では拘束されているものの、自由に回転可能に組み付けられている。
【０００４】
さらに独国特許発明第１０２００５００１５３５号明細書（DE 102005001535 B3）には、シャンクビットを備える取り付けアッセンブリが記載されている。この場合、ビットホルダ内へのシャンクビットの取り付け部は、作業運転中、軸方向及び周方向の運動を許容する。このために、ビットホルダのビット収容部内のシャンクビットは、機能面を有する固定区分を有しており、シャンクビットの機能面は、この機能面に対応するリテーナリングの対向面と作用結合している。開示された構成では、第１の作業位置において、シャンクビットとリテーナリングとの間に軸方向の遊びが生じ、第２の作業位置において、機能面とリテーナリングの対向面との間及びビット収容部の内面の間にクランプが生じる。
【０００５】
自由回転可能性は、従来慣用のビットチップを有するシャンクビットの使用時、シャンクビットに設けられたビットチップが、一般にホルダに比べて強い摩耗に曝されるため、有利である。ビットが回転することにより、非回転の取り付けと比較して、ビットチップのより均等な摩滅が達成され、而してビットの寿命が延長され、これに伴うメンテナンスインターバルが延長され得る。しかし、ビットの回転運動は、非回転のビットと比較して、擦れ摩耗によるビットホルダの強い摩滅を引き起こしかねない。加えて、ビットホルダにビットを回転可能に取り付ける装置は、往々にして、例えば組み付け及び取り外しの際に手間を要する。
【０００６】
従来、ビットチップのために使用されていた材料の硬度を上回る、新種の硬質材料は、今日では、略摩耗なしのビットチップを提供し得る。このようなビットチップの使用は、ビットホルダへの回転不能な取り付けも許容する。
【０００７】
本発明の根底にある課題は、メンテナンスに関して最適化されたより確実な運転形式で、ビットホルダ内でのシャンクビットの簡単な組み付けを可能にするシャンクビットあるいはシャンクビット用の取り付け部を提供することである。
【０００８】
シャンクビットに関する課題は、請求項１の特徴により解決される。その際、リテーナ要素の外形（輪郭）の少なくとも一部が変化、特に変形するように、締め付け要素がビットシャンクに対して相対的に位置調節可能とされているようにした。而してシャンクビットは、簡単に、例えば回動不能にも、ビットホルダ内に拘束され得る。
【０００９】
取り付けアッセンブリに関する課題は、請求項１１の特徴により解決される。その際、締め付け要素が、ビットシャンクに対して位置調節可能であり、リテーナ要素−収容部の容積が、ビットシャンクに対する締め付け要素の調節により可変であるようにした。その際、シャンクビットは、簡単にビットホルダのビット収容部内に装入される。而して、リテーナ要素の締め付けにより、シャンクビットの固定が行われる。この組み付けは、見通しのきかないところで、かつ粗雑な工事現場での運転中にも、簡単かつ明確に実施可能である。
【００１０】
この場合、有利には、ビットシャンクと締め付け要素とが、結合要素及び収容部を介して互いに無段調節可能に結合されているようにした。而して、リテーナ要素の調節、特に変形は、規定された通りに、例えば所定のトルクを加えることで実施可能である。結合要素は、ビットシャンク又は締め付け要素に存在し、これに応じて収容部は、相補的に締め付け要素又はビットシャンクに存在し得る。簡単に実現可能な変化態様は、結合要素あるいは収容部をねじ山として形成することであり得る。
【００１１】
リテーナ要素を損傷、例えば過度に強い変形による損傷から保護すべく、好ましくは、ビットシャンクに対する締め付け要素の調節が、ストッパにより制限されているように構成してもよい。
【００１２】
有利には、ビットヘッドに、少なくとも２５ＧＰａの硬さを有する硬質材料からなるビットチップが取り付けられている。例えばビットチップは、立方晶窒化ホウ素からなることができる。特に強度の摩耗に曝される用途には、ビットチップに少なくとも４０ＧＰａの硬さが与えられていてもよい。このような硬さは、例えば多結晶ダイヤモンドにより達成される。ビットチップの、これにより得られる高い摩耗安定性は、ビットホルダにビットを回転不能に拘束することを可能にし、このことは、結果として、回転可能な拘束と比較してビットホルダの摩耗を減らすことができる。これにより、場合によっては、ビットとビットホルダとの間の摩耗防止ディスクを省略することもできる。
【００１３】
例えばスクリューレンチ又はトルクレンチによる規定通りの簡単な組み付け及び簡単な取り外しのために、ビットヘッドが、工具を周方向で形状結合式に拘束する工具収容部を有するようにした。ビットヘッドの領域において、工具収容部は、一般に良好にアクセス可能である。
【００１４】
安定したシャンク案内、傾倒し難い固定及び最小化された摩耗は、ビットシャンクの少なくとも一部が、第１の円筒状の区分、移行部及び第２の円筒状の区分により段状に形成されていることにより得られる。
【００１５】
ビットシャンク、締め付け要素及びリテーナ要素が、固定ユニットを形成する形態は、固定ユニットが完全に前組み立てされてビットホルダ内に装入され得るという点で、組み付けを容易にする。
【００１６】
リテーナ要素が、環形のリテーナ要素−外面、環形のリテーナ要素−内面及び半径方向に方向付けられた２つのリテーナ要素−端面を有することは、ビットホルダに対するリテーナ要素の固定特性に対して有利に働く。リテーナ要素のこのような構成は、締め付け要素の位置を僅かに調節するだけで既に、有効な締め付け圧を発生させ得る。加えて、このようなリテーナ要素は、製造も容易である。リテーナ要素の別の有利な構成変化形態は、例えばＯリングである。このリテーナ要素は、標準構成部材として安価に入手可能であり、この使用のために十分な圧縮安定性を有している。
【００１７】
さらに、リテーナ要素が少なくとも部分的に弾性材料からなるという可能性は、リテーナ要素の簡単な製造を実現すると同時に、良好な調節可能性、特に変形により実施可能な調節可能性を実現する。
【００１８】
締め付け要素を、ビットホルダへの回り止めされた拘束用の保持面を有するように構成すれば、ビットホルダにおけるビットの無回転の支持が可能となり、このことは、結果として、回転可能な拘束と比較してビットホルダの摩耗を減らすことができる。これにより、ビットとビットホルダとの間の摩耗防止ディスクも省略できる。さらに締め付け要素は、而して締め付け時にビットホルダにより保持されており、付加的な工具を用いて保持せずに済む。これにより組み付けは、さらに簡単になる。
【００１９】
ビットホルダへのビットの簡単かつ規定可能な軸方向の固定は、リテーナ要素が、リテーナ要素−収容部の容積の変化により可変、特に変形可能であり、而して、リテーナ要素−収容部の、周囲を取り巻く壁に対して力が生じることで、シャンクビットとビットホルダとの間の、軸方向での取り付けを達成することにより得られる。
【００２０】
さらに、スペーサによるリテーナ要素−収容部の最小の容積の制限は、この容積内に存在するリテーナ要素を過度に強い調節、特に変形による損傷から保護する。
【００２１】
加えて、有利な構成変化形態では、締め付け要素が、ビットホルダの締め付け要素収容部内に回り止めされて支持されている、かつ／又は締め付け要素が、軸方向で移動可能に締め付け要素収容部内で案内されているようにした。回り止めされた支持は、締め付け要素を保持するために別の保持要素が不要であるという点で、組み付けを簡単にする。これは、ビットホルダがこの機能を担うからである。さらに、締め付け要素のガイド内での軸方向の移動可能性は、ビットホルダの支持領域上に載置されるビットに対する締め付け要素の相対的な位置調節を可能にする。加えて、締め付け要素収容部と締め付け要素との間に、例えば支持領域の摩耗時に後退スペース（Ｎａｃｈｓｅｔｚｒａｕｍ）として利用し得るスペースが形成可能である。
【００２２】
安定したシャンク案内及び傾倒し難い固定に関していえば、ビットホルダが、ビット収容部を有し、ビット収容部が、第１の円筒状の領域、移行領域及び第２の円筒状の領域により段状に形成されていると、有利である。シャンクビットの移行部と、ビット収容部の移行領域とが、後退スペースを形成するように互いに軸方向で離間していると、摩耗特性に対して有利に働く。
【００２３】
以下に、本発明について実施例を基に図面を参照しながらより詳細に説明する。
【図面の簡単な説明】
【００２４】
【図１】シャンクビット及びビットホルダの斜視図である。
【図２】図１にＩＩ−ＩＩで示した線に沿って、図１に示したシャンクビット及びビットホルダを断面した図である。
【図３】シャンクビットの組み付けを示す斜視図である。
【図４】図３に示したシャンクビットを、一部を断面した状態で示す側面図である。
【図５】締め付け要素の平面図である。
【図６】図５にＶＩ−ＶＩで示した線に沿って、図５に示した締め付け要素を断面した図である。
【図７】図１及び２に示したビットホルダを下から見た図である。
【図８】図７にＶＩＩＩ−ＶＩＩＩで示した線に沿って、図７に示したビットホルダを断面した図である。
【図９】シャンクビットとビットホルダとを有するツールコンビネーションの断面図である。
【図１０】図９に示したシャンクビットの組み付けを示す斜視図である。
【図１１】図１０に示したシャンクビットを、一部を断面した状態で示す側面図である。
【図１２】図９に示したシャンクビットの締め付け要素の平面図である。
【図１３】図１２にＸＩＩＩ−ＸＩＩＩで示した線に沿って、図１２に示した締め付け要素を断面した図である。
【００２５】
図１は、シャンクビット１０とビットホルダ３０とを有するツールコンビネーションを示している。図１に看取されるように、シャンクビット１０は、ビットホルダ内に組み付けられている。
【００２６】
図２には、より詳細にビットホルダ３０に対するシャンクビット１０の配設が看取可能である。ビットホルダ３０は、図７及び８により詳細に示してある。図７及び８に看取されるように、ビットホルダ３０は、有段の孔の形態のビット収容部を有している。この場合、ビット収容部は、第１の円筒状の領域３５を有している。第１の円筒状の領域３５は、進入チャンファ３４を介して、孔軸線に関して半径方向に延びる環状面に移行している。この環状面は、支持領域３３を形成している。進入チャンファ３４とは反対側で、第１の円筒状の領域には、移行領域３６が接続している。移行領域３６は、円錐形の孔幾何学形状の形態で形成されている。移行領域３６に続いて、ビット収容部３０１は、第２の円筒状の領域３７を有している。この第２の円筒状の領域３７は、第１の円筒状の領域３５に対して同軸に配置されている。ビット収容部３０１は、最後に、図８に看取可能な、締め付け要素収容部３１を形成する別の領域を有している。このためにビットホルダ３０は、ビットホルダの、支持領域３３とは反対側の背面領域に設けられた貫通部を有している。
【００２７】
図７には、締め付け要素収容部３１の構成がより詳細に看取される。図７に示すように、締め付け要素収容部は、互いに角度をなして延びる複数の成形面３１２により画定される。この場合、成形面３１２は、ビット収容部３０１の中心長手方向軸線の軸方向に延在している。成形面３１２間の移行領域には、切欠き３１１が設けられている。切欠き３１１は、成形面３１２間の、応力に関して最適化された移行部を提供する。本実施例では、６つの成形面３１２が使用されており、これにより、例えばラチェットハンドルのソケットにおいて知られているような六角収容部を形成している。成形面の数は、６以外であってもよく、例えば三角収容部又は四角収容部等を形成していてもよい。
【００２８】
図２にさらに示すように、このツールコンビネーションは、既に上述したシャンクビット１０を有している。このシャンクビット１０は、図３及び４に詳細に示してある。図４に示すように、シャンクビット１０は、ビットヘッド１２を有している。ビットヘッド１２には、ビットシャンク１６が一体に形成されている。シャンクビット１０のビットヘッド１２は、硬質材料からなるビットチップ１１を有している。ビットチップ１１は、好ましくはビットヘッド１２にろう接されている。見易さの理由から図４には示していないが、図２には看取可能なビットチップ１１を起点に、ビットヘッドの横断面は、略円錐状に拡大する。最終的に略円錐状の区分は、工具収容部１３に移行する。工具収容部１３は、工具を周方向で形状結合式に拘束する複数の面から形成される。これらの面は、例えばトルクレンチであってもよいスクリューレンチを用いた組み付け及び取り外しを可能にする。工具収容部１３には、縁部１４が接続し、縁部１４は、支持面１５を形成している。環形の支持面の領域で、ビットシャンク１６は、ビットヘッドに丸み付け移行部を介して接続している。ビットシャンク１６は、段付きシャンクとして形成されている。ビットシャンク１６は、第１の円筒状の区分１６１を有している。第１の円筒状の区分１６１は、ビットヘッドとは反対側で、移行部１６２を介して第２の円筒状の区分１６３に移行している。第２の円筒状の区分１６３には、ビットヘッド１２とは反対側で、結合要素１８４が接続している。結合要素１８４は、本形態では、ねじ山付きボルトの形態で構成されており、ねじ山付きボルトは、ビットシャンク１６と一体に結合されている。結合要素１８４と第２の円筒状の区分１６３との間の移行領域には、第１の機能面１８２が形成されている。この第１の機能面１８２は、シャンクビット１０の中心長手方向軸線に関して半径方向に延びる環状面の形態で形成されている。結合要素１８４は、本形態では、ねじ山付き区分により形成される側方の機能面１８３を形成している。結合要素１８４は、自由端において終端部材を形成し、終端部材には、ストッパ１８６が設けられている。この場合、ストッパ１８６は、円錐形の先端により形成される。ストッパ１８６は、第２の円筒状の区分１６３と結合要素１８４との間の移行部に設けられた別の円筒状の区分により形成されてもよい。この別の円筒状の区分は、同時に側方の機能面１８３をなしていてもよい。
【００２９】
図２及び３に示すように、ツールコンビネーションは、さらに締め付け要素２０を有している。締め付け要素２０は、袋ナット状に形成されている。締め付け要素２０の詳しい構成は、図５及び６に看取される。図５及び６に示すように、締め付け要素２０は、周面において複数の保持面２１により画定されているキャップ区分を有している。この場合、保持面２１は、ナットと同様に、互いに六角形に配置されている。締め付け要素の閉鎖端には、周囲を取り巻くように延びるチャンファ２２が設けられている。チャンファ２２は、端部側の境界壁に移行している。締め付け要素２０は、この境界壁とは反対側に載置部２６を有している。載置部２６は、突出部２６１を介して、保持面２１を形成する領域に一体に接続している。締め付け要素は、締め付け要素の下面領域において、図６に看取されるように、第２の機能面２６２により画定される。この第２の機能面２６２は、環形に構成されており、締め付け要素２０の中心長手方向軸線に関して半径方向に延びている。第２の機能面２６２は、チャンファ２７を介して収容部２５に移行し、収容部２５は、本形態では、ねじ山付き収容部として形成されている。収容部２５は、円錐形の孔区分で終端している。この円錐形の孔区分は、ストッパ面２３を形成する。円錐形の孔区分の代わりに、任意の別の幾何学形状がここに使用され、ストッパ面２３を形成してもよい。例えば収容部は、止まり穴又はこれに類するものとして形成されていてもよい。
【００３０】
図５及び６に示した締め付け要素２０は、六角形に配置された保持面を有している。これについては前述した通りである。別の幾何学形状がこの領域において選択されてもよいことは、自明である。例えば１つの保持面しか使用しないことも可能である。三角形又は四角形等の幾何学形状も可能である。追ってより詳細に説明する保持面２１の機能性を充足するには、保持面２１が周方向のロックを形成することが望ましい。
【００３１】
図３に看取されるように、工具アッセンブリは、リテーナ要素４０も有している。リテーナ要素４０は、弾性材料、例えばゴム状の材料等から形成されている。リテーナ要素４０は、環形のリテーナ要素−外面４１と、環形に形成されるリテーナ要素−内面４２とを有している。リテーナ要素−外面４１とリテーナ要素−内面４２とは、半径方向に延びる両リテーナ要素−端面により互いに結合されている。この場合、両リテーナ要素−端面４３は、互いに平行に延びており、リテーナ要素４０の互いに反対側に配置されている。リテーナ要素４０は、中央の貫通部４４により貫通されている。
【００３２】
リテーナ要素４０を組み付けるには、リテーナ要素４０を、図３に示すように、その中央の貫通部４４でもってシャンクビットの結合要素１８４に被嵌する。その際、この被嵌運動は、一方のリテーナ要素−端面４３により制限される。この一方のリテーナ要素−端面４３は、ビットシャンク１６の第１の機能面１８２に当接する。続いて締め付け要素２０を結合要素１８４上に載置する。その際、この組み付け運動は、チャンファ２７により容易になる。このチャンファ２７をストッパ１８６に係合させる。続いて、締め付け要素２０の、収容部２５の領域に設けられた雌ねじ山を、結合要素１８４の雄ねじ山に螺合させ得る。この場合、ねじ山結合部は、好ましくはセルフロック式に設計されている。セルフロックは、締め付け要素２０が自然に緩んでビットシャンク１６から外れてしまわないようにする。ビットシャンク１６に対して締め付け要素２０を締め込んでいくと、第２の機能面２６２は、第１の機能面１８２とは反対側にあるリテーナ要素−端面４３に当接する。その際、シャンクビット１０は、図３に示すように、リテーナ要素４０が未変形であるか、又は僅かしか変形していない状態にあるように前組み立てされる。このとき、ビットシャンク１６、締め付け要素２０及びリテーナ要素４０は、固定ユニット１８を形成している。
【００３３】
図２に看取されるように、前組み立てされたシャンクビット１０は、ビットホルダ３０のビット収容部３０１内に装入される。ビット収容部内へのシャンクビット１０の装入は、シャンクを有段に形成したことと、ビットホルダ３０を有段の孔として形成したこととにより容易になる。これによりシャンクビット１０は、その自由端でもって簡単にビット収容部３０１内に導入され、このことは、特に見通しのきかない所与の組み付け条件において有利である。組み付けられた状態では、図２に示すように、ビットシャンク１６は、ビットシャンク１６の第１及び第２の円筒状の区分１６１及び１６３が、ビット収容部の第１あるいは第２の円筒状の領域３５及び３７内にくるように、ビット収容部３０１内に位置している。その際、進入位置は、ビットシャンクの移行部１６２がビット収容部３０１の移行領域３６に対して軸方向で間隔を置いて配置されるように選択されている。こうして、図２に明りょうに看取可能な後退スペース１７が生じる。ビット収容部３０１内に装入されたシャンクビット１０は、今や簡単にビットホルダ３０内に固定される。このために、好適なねじ回し工具、例えばトルクレンチが、ビットヘッド１２の領域で工具収容部１３に宛がわれる。締め付け要素２０は、保持面２１が周方向で形状結合式に締め付け要素収容部３１の成形面３１２に当接するように、締め付け要素収容部３１内に収容されている。これにより、工具を用いてシャンクビット１０を回動させたときに、締め付け要素２０が回動しないようになっている。いわば成形面３１２と保持面２１とは、シャンクビット１０の軸線方向でスライドガイドを形成している。シャンクビット１０の締め付け時、締め付け要素２０は、このスライドガイド内で滑動する。このとき、載置部２６と締め付け要素収容部３１の上縁部との間のスペース３２は、拡大する。このスペース３２も、後退スペースを形成する。
【００３４】
而るに締め付け要素２０が締め付けられると、リテーナ要素４０が収容されているリテーナ要素−収容部１８１（図２参照）の容積は、変化する。その際、リテーナ要素−収容部１８１は、結合要素１８４の側方の機能面１８３と、ビットシャンク１６の第１の機能面１８２と、締め付け要素２０の第２の機能面２６２とにより画定される。つまり、締め付け要素２０の位置がビットヘッド１２方向に移動されると、リテーナ要素−収容部１８１内の利用可能な容積は、縮小する。この利用可能な容積の縮小は、弾性的なリテーナ要素４０の変形につながる。この変形の結果、他に逃げる場所もないため、リテーナ要素４０の外周は、締め付け作用の下、ビット収容部３０１の内壁に当接するように拡張する。詳細には、これによりリテーナ要素４０のリテーナ要素−外面４１は、第２の円筒状の領域３７の内壁に圧着される。同時にリテーナ要素−内面４２は、側方の機能面１８３の外側輪郭に当接する。こうしてリテーナ要素４０により、シャンクビット１０の軸線方向でのシャンクビット１０の脱落不能な固定が実施可能である。同時にシャンクビット１０は、締め付け要素２０により回動不能にビット収容部３０１内に拘束されている。
【００３５】
図９乃至１３は、本発明の第２の構成変化形態を示している。この第２の発明構成の構造は、主要な構成特徴の点で前述の発明変化形態と一致している。同じ構成特徴には、同じ符号を付した。それゆえ、繰り返しを避けるため、先の説明を参照されたい。以下では、第２の構成変化形態の相違点についてのみ説明する。
【００３６】
図９に示すように、取り付けアッセンブリ１は、やはりシャンクビット１０、ビットホルダ３０、締め付け要素２０及びリテーナ要素４０を備えている。ビットホルダ３０及びリテーナ要素４０は、前述の実施変化形態によるビットホルダ３０及びリテーナ要素４０と同一構成とされている。
【００３７】
シャンクビット１０は、シャンクの自由端の領域に、ねじ山付き収容部の形態の収容部２５を有している。この収容部２５は、シャンクビット１０の中心長手方向軸線に関して同軸に第１の機能面１８２に設けられている。
【００３８】
而るに締め付け要素２０は、雌ねじ山が設けられた収容部２５に対応して、図１３に明りょうに看取されるように、雄ねじ山が設けられた付設部を有している。その際、雄ねじ山は、結合要素１８４を形成している。
【００３９】
而るにシャンクビットを組み付けるには、図１０に看取されるように、リテーナ要素４０をその貫通部４４でもって結合要素１８４に被嵌する。続いて締め付け要素２０を収容部２５内に螺入させる。その際、リテーナ要素４０は、その両リテーナ要素−端面４３でもって第１の機能面１８２及び第２の機能面２６２と接触する。リテーナ要素−内面４２は、結合要素１８４の円筒状の区分の領域に配置されている。この円筒状の区分は、図１３に示すように、側方の機能面１８３を形成している。結合要素１８４の円筒状の区分からねじ山付き区分への移行領域には、ストッパ１８６が設けられている。而るにシャンクビット１０がビットホルダ内に組み付けられると、シャンクビットは、ストッパ１８６が第１の機能面１８２上に載置され、これにより螺入運動が制限されるまで、締め付け要素に対して回動され得る。このことは、一方では、締め付け要素２０がそのねじ山結合部において脱落不能に締め付けられ得るという利点を有している。他方、締め付け要素２０の螺入運動も制限される。その結果、リテーナ要素−収容部１８１の最小の容積は、変化し得ない。このことは、リテーナ要素４０が、許容できないほど圧迫されず、これにより損傷を被り得ないという利点を有している。その点では、締め付け要素の、側方の機能面１８３を形成する円筒状の領域は、スペーサ１８５を形成する。
【００４０】
図１乃至８に示した実施変化形態では、この機能は、結合要素１８４のストッパ１８６（図４参照）と、締め付け要素２０のストッパ面２３とにより実現される。
【００４１】
運転使用中、衝撃的にシャンクビットに作用する負荷に基づいて、ビットホルダの支持領域３３及び／又はビットヘッドの支持面１５が摩耗、例えば変形することが起こり得る。その際、それにもかかわらずシャンクビットの確実な固定を維持できるように、両ツール変化形態では、後退スペース１７が存在している。これらの後退スペース内には、摩耗が生じたとき、シャンクビットが軸方向で後退することができる。締め付け要素２０も、締め付け要素収容部３１内に滑りばめで保持されているので、ここでも、スペース３２に基づいて後退可能である。
【００４２】
上述の実施例は、本発明に係るシャンクビット１０の、本発明に係る取り付けアッセンブリ１に対する簡単に可能な組み付け及び取り外しを明らかにするものである。組み付け及び取り外しは、スクリューレンチ又は類似の工具により実施可能である。シャンクビット１０と、締め付け要素２０と、リテーナ要素４０とからなる固定ユニット１８が、図３及び１０に看取可能であるように、前組み立て可能であることも、簡単な組み付けに貢献する。
【００４３】
ビットホルダ３０内でのシャンクビット１０の上述の無回転の拘束、段状のシャンク構成及び後退スペースの設置も、摩耗に関して最適化された運転に貢献し、軸方向での拘束と同様、確実な運転を促進する。
【図１】
0006556223.tif 000002
【図２】
0006556223.tif 000003
【図３】
0006556223.tif 000004
【図４】
0006556223.tif 000005
【図５】
0006556223.tif 000006
【図６】
0006556223.tif 000007
【図７】
0006556223.tif 000008
【図８】
0006556223.tif 000009
【図９】
0006556223.tif 000010
【図１０】
0006556223.tif 000011
【図１１】
0006556223.tif 000012
【図１２】
0006556223.tif 000013
【図１３】
0006556223.tif 000014